(57)【特許請求の範囲】
【請求項１】
穴を配置された材料シートからなる吸音材料であって、材料シートが自己支持するものにおいて、穴がシートの幅と長さにおいて互いに一定の間隔を置いて分布された吸音のために適合された微小スリット（２）から形成され、各スリットが細長い形を有しかつ本質的に材料平面に横たわっており、前記スリットの最大幅が約0.01〜0.8mmであり、各スリットに近いシートの少なくとも一部が材料平面から部分的に押し出されていることを特徴とする吸音材料。
【請求項２】
軽い圧延加工によってシート材料から部分的に押し出された部分がシート平面に部分的に戻されることを特徴とする請求の範囲１に記載の吸音材料。
【請求項３】
微小スリットが0.05〜0.5mm、好ましくは0.1〜0.4mmの最大幅を有することを特徴とする請求の範囲１又は２に記載の吸音材料。
【請求項４】
微小スリットの長さが３〜20mm、好ましくは４〜10mm、最も好ましくは５〜6mmであることを特徴とする請求の範囲１〜３のいずれか一つに記載の吸音材料。
【請求項５】
材料シートが10〜40％、好ましくは15〜30％、最も好ましくは20〜30％の穿孔度を有することを特徴とする請求の範囲１〜４のいずれか一つに記載の吸音材料。
【請求項６】
材料シートが0.1〜10mm、好ましくは0.1〜5mmの厚みを有することを特徴とする請求の範囲１〜５のいずれか一つに記載の吸音材料。
【請求項７】
材料シートが金属、好ましくはステンレス鋼、アルミニウム又はアルミニウム合金の群から選択されることを特徴とする請求の範囲１〜６のいずれか一つに記載の吸音材料。
【請求項８】
材料シートがプラスチック材料から作られることを特徴とする請求の範囲１〜６のいずれか一つに記載の吸音材料。
【請求項９】
請求の範囲１〜７のいずれか一つに記載の少なくとも二つの別の材料がユニットを形成するために結合されるか又は少なくとも二つの前記材料がそれらの間の予め決められた空間と並行に配置されることを特徴とする吸音材料システム。
【請求項１０】
材料シート（１）が、微小スリット（２）の形の穴が作られるようにシートの長さと幅に沿って予め決められた距離でシートを押すことができるように作られた剪断工具によって加工され、加工されるシートが部分的に壊れ、少なくともスリットに近いシート部分が材料平面から完全に又は部分的に押し出されることを特徴とする請求の範囲１〜７のいずれか一つに記載の吸音材料の製造方法。
【請求項１１】
材料シートの突起部分が穏やかな圧延加工法によって完全に又は部分的に材料平面に戻されることを特徴とする請求の範囲９に記載の方法。
【請求項１２】
建築及び換気及び暖房工業における吸音材料として使用することを特徴とする請求の範囲１〜７のいずれか一つ又は請求の範囲８に記載の吸音材料。
【請求項１３】
作業所の機械や車の騒音減少のために使用することを特徴とする請求の範囲１〜７のいずれか一つ又は請求の範囲８に記載の吸音材料。
【請求項１４】
エンジン室の遮音として使用することを特徴とする請求の範囲１〜８のいずれか一つに記載の吸音材料。
【請求項１５】
マフラーに使用することを特徴とする請求の範囲１〜７のいずれか一つ又は請求の範囲８に記載の吸音材料。
【請求項１６】
請求の範囲１〜７のいずれか一つに記載の少なくとも二つの吸音材料が一つのシステムに組み込まれるか又は材料間に予め決められた空間を伴う二層又は多層に配置されることを特徴とする請求の範囲10〜13のいずれか一つに記載の吸音材料。
【請求項１７】
前記材料が予め決められた形に形成されることを特徴とする請求の範囲１〜７のいずれか一つ又は請求の範囲８に記載の吸音材料を使用することを特徴とする吸音装置。
【発明の詳細な説明】
本発明は吸音材料、その製造方法及びその使用方法に関する。
技術分野において様々な種類の吸音材料が公知である。天井に取り付けられた制振材料はプレートの裏側に置かれた吸収フエルト又は他の繊維ベース材料の形の吸音材料を伴った孔あきプレートからなることが多い。これらのプレートは実際の天井から離して置かれる。このことと吸音材料自身が空間を必要とするという事実は、部屋の利用可能な高さが減らされるということを意味する。繊維、グラスファイバー又はアスベストから作られた防音タイルの他のタイプは主に設置中に不便であり、除去中においてもこれらを取り払うことは健康を害する危険がある。発砲プラスチックが吸音材料として使用されることもある。これらの材料は、可燃性であるという明らかな欠点を有する。プラスチックフォームは、短い寿命を有し、寿命後バラバラになってしまうことが多い。
スエーデン特許207484に、天井、壁又は同様の用途のための吸音材料が開示されている。この特許による材料は一つのプレート又は長く巻いた材料からなり、この材料は並列に配置された極めて多くの開口を与えられ、そこで隣接して並行なスリットの間に横たわる材料部分がプレート平面から押し出され、前記部分がフラップによって材料に接続されている。すべての突起部分はプレート平面の外側であるが、プレート平面に並行な平面に置かれる。従って、開口は材料平面に対して垂直方向を向いた同様のサイズのスリットによって構成される。従って、各スリットは平面及び平面にフラップによって接続された突起部に隣接する。これらの突起部は本質的に平面に対して並行に向けられている。もし押し出された突起部の上方表面がまだ平面の下方表面より下にあれば、スリットが全く作られてない特許クレーム（すなわち、プレートを通って単に垂直方向を向いたスリット）は特許クレームに含まれるとは考えられず、突起部が本質的にプレート表面を越えて押し出されるような方法で突起部が作られなければならない。
同様の構造がスエーデン公開公報394126から公知であり、これには金属シートが並行なリブのような形をした非常に多くの突起部分を有し、各突起部分が二つの縦長方向を向いたスリット間に横たわる金属プレートの部分を構成し、各突起部分の切断表面がプレート中央平面を越えて押し出されることが開示されている。
追加の吸音材料の層を組み合わせた様々な形の貫通スリットを伴ったプレートの組み合わせもまた例えばスエーデン公開公報325649及び米国2009512から公知である。
上記のプレートに加え、プレートと組み合わせたり、又は別々に使用する圧縮繊維及び多孔材料の様々な吸収パネルがある。
公知技術において共通の特徴は音が穴及びかなり大きなサイズのスリットを通ってプレートを貫通し、プレート自身が共鳴吸収材として働くことである。更なるエネルギーの消失を増進するため、すなわち吸音を増進するために、気流抵抗層が穴又はスリットの後ろに置かれる。
これら初期タイプの孔あき防音タイルはヘルムホルツ共鳴器型、すなわち穴を備えたプレートが固い壁から離れて配置された共鳴吸収材である。
H.V.Fuchsによる文献
0003632768.tif 000002
107〜116頁に他のタイプの音吸収材の理論が開示されている。
文献には、どのように微小孔あきプレートが広帯域吸収を達成するために使用されることができるかが開示されている。この理論の背景には空気中の振動（＝音）が小さな穴の内側の剪断力の影響によって効果的に減衰され、このようにして広帯域吸収が追加の繊維又は他の多孔材料を使用することなしに達成されることがある。文献中の穴はレーザー光線の使用により製造される。
しかしながら、上で引用した文献において、これらのプレートを製造するためのコストはかなりのものになり、固い及び／又は厚い材料を使用する時、コストを考慮するとこれらの使用が不可能になる。微小穴（microholes）の理論は1950年から討議されているが、非常に多くのそして非常に小さい穿孔を作ることの難しさにより、音吸収手段としての微小穴の実際の使用が妨げられてきた。
従って、先行技術による音制振材料が示されてきた。例えばヘルムホルツ型共鳴器は、最初に述べた欠点以外に、材料の組み合わせが広い周波数域にわたる所望の吸収を達成するために使用されなければならないという欠点がある。
微小穿孔を使用する音制振材料を、上記文献にあるように、例えばレーザー光線の使用によって製造することは非常にコストがかかることが示されている。
本発明の主な目的は広帯域吸収特性を有し、取り付け及び製造が簡単な一つのプレートからなり、繊維などの追加層を必要としない吸音材料を達成することである。
他の目的は簡単に二次元又は三次元に形成することができ、接合することができ、高圧噴射物又は異なった種類の洗剤を含む他の清掃技術によって簡単に掃除することができる吸音材料を達成することである。
他の目的は製造方法により経済的に利点のある吸音材料を達成することである。
他の目的は耐火性で、厳しい状態（例えば腐食環境）に耐えることができる吸音材料を達成することである。
更に他の目的は装飾的効果を有する吸音材料を達成することである。
驚くべきことに、本発明の吸音材料及びこの吸音材料の製造方法により本質的に実際の帯域幅すべてにわたって優秀な音吸収を達成することが可能になることが示されている。上記目的は請求の範囲１及び８の特徴部分によって特徴付けられる材料及び製造方法によって達成される。
材料及び方法に関して、製造及び取り付けが簡単で、高温及び要求される化学環境に耐え、自己支持する簡単で複数ではない材料が達成される。
本発明による材料は形成性があり、接合することができ、薄くて軽い、取り付けるために柔軟性がある。
更に本発明による材料はm2当たりのスリットの数を変えること及びスリットの形を変えることにより異なった防音要求に合わせて調節することができる。更に性能を予想することができ、これは材料又は材料システムを異なった要求に合わせて作り変えることができることを意味する。
材料は機械音の減衰に対しても非常に効果的であることを示す。従って、機械工具及び車のエンジン室に使用することができる。サウンドマフラーに使用される時、マフラーの一部又は全体を本発明の材料から作ることができる。
上記用途のための材料の適応性は優秀な形成性及び公知の技術（例えば溶接）によって材料を金属構造物に結合する実現性だけではなく、耐火性及び洗浄可能性などの特性に依存する。
本発明の材料及び方法の追加的特徴は独立クレームにおいて請求される
本発明は添付の図面を参照して以下に述べられる。
図１は本発明の材料部分の一つの例の平面図を示す。
図２は約4cm2の領域に相当する図１材料の拡大部分表面を示す。
図３はスリットの幅が最も広いところの多くのスリットを通る図２で付けられた線に相当する断面図を示す。
図４は本発明の材料の二つの例のための周波数と吸音因子の変化の二つの比較曲線を示す。
図１は微小スリットを伴う吸音材料の本発明による例の部分平面図を示す。スリットにより形成される模様はスリットの多くの可能な配置の内の一例にすぎない。スリット間の相互関係は、とりわけ、スリットが形成する表面部分の大きさに依存する。もちろん模様は、スリットの形と数を変えるという可能性を取り去ることなしに特別な装飾性効果を達成するために作られ、かくして所望の吸音を達成することができる。図１に示される材料上のスリットは列で置かれ、これらの列は相互に入れ代わっている。この模様により材料にわずかにしわができるので材料の固さが強化される。もちろんこれは薄い材料ほどしわ寄せなしに使用できることを意味する。
図２はスリットを更に詳細に見ることができる図１の拡大図である。微小スリットの最大幅ｂ及び長さｌが図に記されている。示される例の微小スリットは、巻いた材料を一方の刃が他方の刃に対して波形を有する切断工具を伴った機械で処理することにより達成される。材料平面における適切な圧力によって、第一及び第二スリット端（それぞれ3,4）を有するスリットが作られ、第一及び第二スリット端において工具の刃の突起歯が材料平面に対して押しつけられ、それはスリットの一端３の一定の剪断力で平面から部分的に押し出され、スリット２を作る。部分５は操作によって少し変形したスリット端３を示す。他のスリット端４は図において見ることができない。材料のこの機械処理を数種類の切断装置によって行うことができる。
この切断操作において、材料が切り落とされずにスリットの長さと大きさが意図されたものになるように圧力を調節することはもちろん考えられる。切断操作のための正しいパラメーターを決定することは当業者によって本発明の範囲内で行うことができる。例に示されるように歯付き工具を動かすことにより、歯の間が半分の波長で連続する各列において、スリットは縦長方向にジグザグ模様を有することになる。
図３は図２の線III−IIIに沿った断面図を概略的に示す。図において微小スリット２が材料平面１に対して垂直方向を向いていることがわかる。剪断作業によって生じた金属の部分的な変形がこの図において無視されている。スリット２を作るための剪断作業において、剪断表面６は材料平面の厚みを越えて押し出されている。その後突起部が圧延加工され、その結果突起部が所望の位置（材料平面からいくぶん飛び出している状態）にとどまることになる。
特に図２を検討することにより、微小スリットの形を決定することができる。スリットは端が細くなり本質的に材料平面に横たわった細長い形を有する。スリットの幅を変えることができるので、広い周波数域が吸収される、例えば異なった波長の音波が異なったスリット幅によって遮られる。
スリットのための適切な長さは3mm〜20mmである。良好な結果は４〜10mmの長さによって達成され、５〜6mmの長さによって更に良好な結果が達成される。材料表面のスリットの最大幅は0.01〜0.8mmで変化させることができ、好ましくは0.05〜0.5mm、最も好適な幅は0.1〜0.4mmである。
図４には本発明の二つの異なった例の吸音を示す二つの曲線が示されている。実線Ａは材料が壁から150mm離れてISO356に従って取り付けられた時の吸収曲線を示す。曲線Ｂは二つの同一材料の一つが壁から100mm、もう一つが150mm離れて互いの上部に取り付けられた時の吸収を示す。測定に使用された材料すべては同等に設計され、すなわちスリットの同じ形（sign）及び数がすべての材料に使用された。図表から二つの別の材料を互いの上部に取り付けることにより更に良好な吸収が一つの材料を使用するのに比べて本質的にすべての周波数域にわたって達成されることが結論付けられた。別々に設計された材料（異なったスリットの大きさ及び密度）で計測された同様の曲線はいくぶん異なった曲線を示すが、多数の材料の一般的結果が本質的に示される例と同じである。
材料は好ましくは金属から製造される。例えばステンレス鋼、アルミニウム及びアルミニウム合金である。もちろん他の金属又は合金を使用することもできる。ある種の用途において、適切なプラスチック材料が使用されることが考えられる。
もちろん本発明の材料はすぐ取り付けられる異なった大きさのモジュールとして、同様に所望の目的に合わせて後で切断されるロール又はシートの形で製造することができる。材料に固さを与えるような方法（例えば折りたたむなど）によって材料をスリットから独立して形成してもよい。既製モジュールを、当業者にとって明らかな方法で、枠や留め具などに付けることができる。後述の特許請求の範囲に表される本発明の概念を逸脱しない限り、他の変更を当業者によって行うことができる。
【図３】
0003632768.tif 000003
【図１】
0003632768.tif 000004
【図２】
0003632768.tif 000005
【図４】
0003632768.tif 000006